(57)【特許請求の範囲】
【請求項１】
第１世帯が居住する第１居住部と、
第２世帯が居住する第２居住部と、
前記第１居住部と前記第２居住部とにそれぞれ隣接し、前記第１世帯と前記第２世帯とで共用される共用空間とを備える二世帯住宅において、
前記第１居住部に設けられた第１居住空間と前記共用空間とを空調対象として空調を行う第１空調装置と、
前記第２居住部に設けられた第２居住空間と前記共用空間とを空調対象として空調を行う第２空調装置とを備え、
前記第１空調装置は前記第１居住部に設けられ、その第１居住部内の空気を取り込み空調空気を生成するとともに、その空調空気を前記第１居住空間及び前記共用空間に供給するものであり、
前記第１居住空間及び前記共用空間に供給された空調空気は前記第１空調装置に還流する構成となっており、
前記第２空調装置は前記第２居住部に設けられ、その第２居住部内の空気を取り込み空調空気を生成するとともに、その空調空気を前記第２居住空間及び前記共用空間に供給するものであり、
前記第２居住空間及び前記共用空間に供給された空調空気は前記第２空調装置に還流する構成となっていることを特徴とする二世帯住宅の空調システム。
【請求項２】
前記共用空間は、その床部が通常高さの床部よりも低い位置にあるスキップ床部とされた第１空間部を有しており、
前記第１空調装置により生成された空調空気を前記第１居住空間及び前記共用空間へ搬送する第１空調ダクトと、
前記第２空調装置により生成された空調空気を前記第２居住空間及び前記共用空間へ搬送する第２空調ダクトとを備え、
前記第１空調ダクト及び前記第２空調ダクトはいずれも天井裏に配設されていることを特徴とする請求項１に記載の二世帯住宅の空調システム。
【請求項３】
前記第１空調ダクトを流れる空調空気の吹出口として、前記第１居住空間に空調空気を吹き出す第１居住吹出口と、前記共用空間に空調空気を吹き出す第１共用吹出口とが設けられ、
前記第２空調ダクトを流れる空調空気の吹出口として、前記第２居住空間に空調空気を吹き出す第２居住吹出口と、前記共用空間に空調空気を吹き出す第２共用吹出口とが設けられ、
前記第１共用吹出口と前記第２共用吹出口とはそれぞれ複数ずつ設けられていることを特徴とする請求項２に記載の二世帯住宅の空調システム。
【請求項４】
前記第１居住部と前記第２居住部とは互いに離間して配置され、
それら各居住部の間に前記共用空間が配置され、
前記第１空調ダクト及び前記第２空調ダクトの下方には下がり天井が設けられ、
その下がり天井上方の天井裏空間に前記第１空調ダクト及び前記第２空調ダクトが配設されており、
前記第１空調ダクトは、前記天井裏空間において前記第１居住部から前記共用空間へ向けて延びており、その末端部となる第１末端部が前記共用空間上方に位置しており、
前記第１末端部の側面部には、前記第１空調ダクトを流れる空調空気を前記共用空間に横向きに吹き出す第１吹出部が接続され、
前記第１吹出部は、前記第１居住部と前記第２居住部とが並ぶ方向である第１方向と直交する第２方向に空調空気を吹き出すよう配置され、
前記第２空調ダクトは、前記天井裏空間において前記第２居住部から前記共用空間へ向けて延びており、その末端部となる第２末端部が前記共用空間上方に位置しており、
前記第２末端部の側面部には、前記第２空調ダクトを流れる空調空気を前記共用空間に横向きに吹き出す第２吹出部が接続され、
前記第２吹出部は、前記第２方向に空調空気を吹き出すよう配置されていることを特徴とする請求項２又は３に記載の二世帯住宅の空調システム。
【請求項５】
前記共用空間は、前記第１空間部に加えて、その床部が通常高さの床部と同じ高さにある第２空間部を有し、
前記第１空間部と前記第２空間部とは前記第２方向に並んで配置され、
前記第１末端部及び前記第２末端部はいずれも、前記第２空間部の上方に配置され、
前記第１吹出部及び前記第２吹出部はいずれも、空調空気を前記第１空間部に向けて吹き出すよう配置されていることを特徴とする請求項４に記載の二世帯住宅の空調システム。
【請求項６】
前記共用空間は、前記第２方向の両側で屋外空間又は半屋外空間と隣接していることを特徴とする請求項４又は５に記載の二世帯住宅の空調システム。
【請求項７】
前記第１末端部と前記第２末端部とは前記第２方向において同位置に配置され、
前記第１吹出部と前記第２吹出部とは前記第１方向における前記共用空間の中心線に対し互いに対称となる位置に配置され、かつ、前記第２方向における同じ側に向けて空調空気を吹き出すことを特徴とする請求項４乃至６のいずれか一項に記載の二世帯住宅の空調システム。
【発明の詳細な説明】
【技術分野】
【０００１】
本発明は、二世帯住宅の空調システムに関する。
【背景技術】
【０００２】
従来より、子世帯と親世帯とが同居する二世帯住宅が知られている。二世帯住宅では、子世帯の居住する居住空間と親世帯の居住する居住空間とが互いに区画されることで、各世帯のプライバシが相互に確保されている。また、二世帯住宅では、各世帯の居住空間に加え、各世帯が共用する共用空間が設けられている場合がある。
【０００３】
特許文献１には、このような共用空間を備える二世帯住宅に全館空調システムが設けられた構成が開示されている。この特許文献１の空調システムは、２つの空調装置を備えており、それら２つの空調装置により各世帯の居住空間及び共用空間を空調（冷暖房）するものとなっている。具体的には、特許文献１の空調システムでは、上記２つの空調装置のうち一方の空調装置（以下、第１空調装置という）が子世帯の居住空間と共用空間とを空調対象として空調を行い、他方の空調装置（以下、第２空調装置という）が親世帯の居住空間と共用空間とを空調対象として空調を行うものとなっている。かかる構成によれば、共用空間が第１空調装置及び第２空調装置それぞれの空調対象に含まれているため、それら各空調装置のうちいずれか一方が運転中であれば、共用空間の空調を行うことが可能となっている。
【０００４】
また、特許文献１の空調システムについてより詳しくは、当該空調システムでは、第１空調装置及び第２空調装置がそれぞれ共用空間に隣接する機械室に設置されている。この場合、各空調装置は、共用空間から機械室に流れ込む空気を取り込み、その取り込んだ空気をもとに空調空気を生成する。そして、各空調装置は、その生成した空調空気を空調対象である各空間に供給する。なお、これら各空間に供給された空調空気は、その後、機械室へと還流する。
【先行技術文献】
【特許文献】
【０００５】
【特許文献１】特開２０１４−１９０６６６号公報
【発明の概要】
【発明が解決しようとする課題】
【０００６】
ところで、上述した特許文献１の空調システムにおいて、例えば第１空調装置だけが運転中である場合（すなわち片側運転時）には、同空調装置により子世帯の居住空間に供給された空調空気が共用空間に流れ込み、その後共用空間に供給された空調空気とともに機械室へ流れる（還流する）。
【０００７】
ここで、このような共用空間から機械室（ひいては空調装置）へ向けた空気の流れが生じる場合には、共用空間に隣接する親世帯の居住空間の空気が上記空気の流れによって共用空間に引き込まれるおそれがある。その場合、共用空間に引き込まれる親世帯の居住空間の空気は空調装置により空調（冷暖房）されていない空気であるため、空調効率の低下を招くおそれがある。
【０００８】
本発明は、上記事情に鑑みてなされたものであり、空調効率の低下を抑制することができる二世帯住宅の空調システムを提供することを主たる目的とするものである。
【課題を解決するための手段】
【０００９】
上記課題を解決すべく、第１の発明の二世帯住宅の空調システムは、第１世帯が居住する第１居住部と、第２世帯が居住する第２居住部と、前記第１居住部と前記第２居住部とにそれぞれ隣接し、前記第１世帯と前記第２世帯とで共用される共用空間とを備える二世帯住宅において、前記第１居住部に設けられた第１居住空間と前記共用空間とを空調対象として空調を行う第１空調装置と、前記第２居住部に設けられた第２居住空間と前記共用空間とを空調対象として空調を行う第２空調装置とを備え、前記第１空調装置は前記第１居住部に設けられ、その第１居住部内の空気を取り込み空調空気を生成するとともに、その空調空気を前記第１居住空間及び前記共用空間に供給するものであり、前記第１居住空間及び前記共用空間に供給された空調空気は前記第１空調装置に還流する構成となっており、前記第２空調装置は前記第２居住部に設けられ、その第２居住部内の空気を取り込み空調空気を生成するとともに、その空調空気を前記第２居住空間及び前記共用空間に供給するものであり、前記第２居住空間及び前記共用空間に供給された空調空気は前記第２空調装置に還流する構成となっていることを特徴とする。
【００１０】
本発明によれば、第１居住部の第１居住空間と共用空間とを空調対象とする第１空調装置が第１居住部に設けられ、第２居住部の第２居住空間と共用空間とを空調対象とする第２空調装置が第２居住部に設けられている。この場合、第１空調装置により共用空間に供給された空調空気は第１居住部内の第１空調装置へ還流し、第２空調装置により共用空間に供給された空調空気は第２居住部内の第２空調装置へ還流する。
【００１１】
このような構成では、第１空調装置及び第２空調装置のいずれか一方だけが運転している片側運転時においては、共用空間に供給された空調空気が、同空間から運転中の空調装置が設けられている居住部の方へ流れることになる。この場合、かかる空気の流れについては、上記従来技術（特許文献１の技術）の構成において生じる共用空間から空調装置へ向かう空気の流れと比べ、弱い流れとすることができる。このため、かかる空気の流れによって、空調装置が運転していない他方の居住部内の空気を共用空間に引き込んでしまうことを抑制することができ、その結果、当該空気の引き込みに伴う空調効率の低下を抑制することができる。
【００１２】
第２の発明の二世帯住宅の空調システムは、第１の発明において、前記共用空間は、その床部が通常高さの床部よりも低い位置にあるスキップ床部とされた第１空間部を有しており、前記第１空調装置により生成された空調空気を前記第１居住空間及び前記共用空間へ搬送する第１空調ダクトと、前記第２空調装置により生成された空調空気を前記第２居住空間及び前記共用空間へ搬送する第２空調ダクトとを備え、前記第１空調ダクト及び前記第２空調ダクトはいずれも天井裏に配設されていることを特徴とする。
【００１３】
本発明によれば、共用空間がスキップ床部を有する第１空間部を備えているため、共用空間を開放感あふれる空間とすることができる。そのため、各世帯のコミュニケーションを快適に図ることが可能となる。また、共用空間（詳しくは第１空間部）にスキップ床部が設けられた構成では、空調装置から居住空間及び共用空間に空調空気を空調ダクトにより搬送するにあたり、その空調ダクトを床下に配設すると、空調ダクトの高さ位置を途中で変える必要が生じる等、ダクトの配設態様が複雑になるおそれがある。この点、本発明では、空調ダクトを床下ではなく、天井裏に配設したため、かかる不都合が生じるのを回避しつつ空調ダクトを配設することができる。
【００１４】
第３の発明の二世帯住宅の空調システムは、第２の発明において、前記第１空調ダクトを流れる空調空気の吹出口として、前記第１居住空間に空調空気を吹き出す第１居住吹出口と、前記共用空間に空調空気を吹き出す第１共用吹出口とが設けられ、前記第２空調ダクトを流れる空調空気の吹出口として、前記第２居住空間に空調空気を吹き出す第２居住吹出口と、前記共用空間に空調空気を吹き出す第２共用吹出口とが設けられ、前記第１共用吹出口と前記第２共用吹出口とはそれぞれ複数ずつ設けられていることを特徴とする。
【００１５】
本発明によれば、第１共用吹出口と第２共用吹出口とがそれぞれ複数ずつ設けられているため、第１空調装置及び第２空調装置のいずれか一方だけが運転している片側運転時においても、複数の吹出口から空調空気を共用空間に吹き出すことができる。これにより、空調装置の片側運転時においても、スキップ床部を有することで気積が大きくされた共用空間を好適に空調することができる。
【００１６】
第４の発明の二世帯住宅の空調システムは、第２又は第３の発明において、前記第１居住部と前記第２居住部とは互いに離間して配置され、それら各居住部の間に前記共用空間が配置され、前記第１空調ダクト及び前記第２空調ダクトの下方には下がり天井が設けられ、その下がり天井上方の天井裏空間に前記第１空調ダクト及び前記第２空調ダクトが配設されており、前記第１空調ダクトは、前記天井裏空間において前記第１居住部から前記共用空間へ向けて延びており、その末端部となる第１末端部が前記共用空間上方に位置しており、前記第１末端部の側面部には、前記第１空調ダクトを流れる空調空気を前記共用空間に横向きに吹き出す第１吹出部が接続され、前記第１吹出部は、前記第１居住部と前記第２居住部とが並ぶ方向である第１方向と直交する第２方向に空調空気を吹き出すよう配置され、前記第２空調ダクトは、前記天井裏空間において前記第２居住部から前記共用空間へ向けて延びており、その末端部となる第２末端部が前記共用空間上方に位置しており、前記第２末端部の側面部には、前記第２空調ダクトを流れる空調空気を前記共用空間に横向きに吹き出す第２吹出部が接続され、前記第２吹出部は、前記第２方向に空調空気を吹き出すよう配置されていることを特徴とする。
【００１７】
本発明によれば、下がり天井上方の天井裏空間を利用して第１空調ダクト及び第２空調ダクトが配設されている。第１空調ダクトと第２空調ダクトとはいずれもその末端部が共用空間上方に位置しており、それら各空調ダクトの末端部にはそれぞれ第１吹出部及び第２吹出部が接続されている。これら各吹出部は、第１居住部と第２居住部との並び方向（第１方向）と直交する第２方向に空調空気を吹き出すものとなっている。この場合、共用空間が第２方向に長い空間となっている場合等においても、共用空間を好適に空調することが可能となる。
【００１８】
第５の発明の二世帯住宅の空調システムは、第４の発明において、前記共用空間は、前記第１空間部に加えて、その床部が通常高さの床部と同じ高さにある第２空間部を有し、前記第１空間部と前記第２空間部とは前記第２方向に並んで配置され、前記第１末端部及び前記第２末端部はいずれも、前記第２空間部の上方に配置され、前記第１吹出部及び前記第２吹出部はいずれも、空調空気を前記第１空間部に向けて吹き出すよう配置されていることを特徴とする。
【００１９】
本発明によれば、第１吹出部と第２吹出部とがそれぞれ第１空間部に向けて空調空気を吹き出すよう配置されているため、スキップ床部を有することで気積の大きくされた第１空間部を好適に空調することができる。
【００２０】
また、第１末端部と第２末端部とが第２空間部の上方に配設されていることから、共用空間の天井部においては第２空間部の天井部にのみ下がり天井を配置すればよく、第１空間部の天井部には下がり天井を配置しなくても済む。これにより、下がり天井を用いて空調ダクトを配設する構成にあって、下がり天井により共用空間（詳しくは第１空間部）の開放感が低下してしまうのを抑制することができる。
【００２１】
第６の発明の二世帯住宅の空調システムは、第４又は第５の発明において、前記共用空間は、前記第２方向の両側で屋外空間又は半屋外空間と隣接していることを特徴とする。
【００２２】
共用空間が第２方向の両側でそれぞれ屋外空間又は半屋外空間と隣接している構成では、第２方向における共用空間を挟んだ両側に、空調ダクトを配設できる天井部が存在しないため、それらの側から共用空間に空調空気を吹き出すことが、詳しくはそれらの側から空調空気を第２方向に吹き出すことが実際上不可能となる。その点、本発明では、かかる構成に上記第４の発明を適用しているため、このような構成にあっても、共用空間に空調空気を第２方向に向けて吹き出すことが可能となる。なお、半屋外空間としては、バルコニー空間やベランダ空間、テラス空間等が挙げられる。
【００２３】
第７の発明の二世帯住宅の空調システムは、第４乃至第６のいずれかの発明において、前記第１末端部と前記第２末端部とは前記第２方向において同位置に配置され、前記第１吹出部と前記第２吹出部とは前記第１方向における前記共用空間の中心線に対し互いに対称となる位置に配置され、かつ、前記第２方向における同じ側に向けて空調空気を吹き出すことを特徴とする。
【００２４】
本発明によれば、第１空調装置及び第２空調装置のいずれを片側運転させる場合にも共用空間を同じように空調することができる。
【図面の簡単な説明】
【００２５】
【図１】二世帯住宅を示す斜視図。
【図２】二階部分の間取りを示す平面図。
【図３】共用リビング及びその周辺の構成を示す縦断面図。
【図４】二階部分の全館空調システムの構成を示す平面図。
【図５】（ａ）は空調ダクトの設置構成を拡大して示す縦断面図であり、（ｂ）は（ａ）のＣ−Ｃ線断面図である。
【図６】二階部分における空気の流れを示す平面図。
【発明を実施するための形態】
【００２６】
以下に、本発明を具体化した一実施の形態について図面を参照しつつ説明する。本実施形態では、子世帯と親世帯とが居住する二世帯住宅について具体化している。なお、図１は、その二世帯住宅を示す斜視図であり、その左側が住宅正面側、右側が住宅奥側となっている。以下では、この住宅正面側から住宅奥側へ延びる方向を住宅奥行き方向（住宅前後方向）とし、それと直交する方向を住宅幅方向として説明する。
【００２７】
図１に示すように、二世帯住宅１０は、一階部分１１と二階部分１２と三階部分１３とを有する三階建てとなっている。二世帯住宅１０は、子世帯が居住する第１建物部１５と、親世帯が居住する第２建物部１６とを備えている。第１建物部１５は、一階部分１１、二階部分１２及び三階部分１３を有する三階建てとなっている。これに対し、第２建物部１６は、一階部分１１と二階部分１２とを有する二階建てとなっている。また、第１建物部１５及び第２建物部１６は、屋根がいずれも陸屋根（フラットルーフ）となっている。
【００２８】
なお、子世帯が第１世帯に相当し、親世帯が第２世帯に相当する。また、第１建物部１５が第１居住部に相当し、第２建物部１６が第２居住部に相当する。
【００２９】
第１建物部１５の一階部分１１には、子世帯用の玄関口２１が設けられている。この玄関口２１を通じて第１建物部１５への出入りが可能となっている。また、図１での図示では隠れているが、第２建物部１６の一階部分１１には、親世帯用の玄関口が形成されている。この玄関口を通じて第２建物部１６への出入りが可能となっている。
【００３０】
第１建物部１５と第２建物部１６とは、互いに離間しかつ対向した状態で配置されている。この場合、第１建物部１５と第２建物部１６とは住宅幅方向に並んで配置されている。したがって、二世帯住宅１０の住宅幅方向が「第１方向」に相当し、住宅幅方向と直交する方向である住宅奥行き方向が「第２方向」に相当する。
【００３１】
二世帯住宅１０の二階部分１２において、第１建物部１５と第２建物部１６との間には中間建物部１７が設けられている。中間建物部１７は、第１建物部１５と第２建物部１６とを互いに連結した状態で設けられている。この場合、二世帯住宅１０の内部において、第１建物部１５と第２建物部１６とが中間建物部１７の内部を通じてつながっている。
【００３２】
中間建物部１７において住宅正面側には、子世帯及び親世帯に共用される共用バルコニー１８が設けられている。共用バルコニー１８には、第１建物部１５及び第２建物部１６からそれぞれ出入りが可能となっている。また、共用バルコニー１８の上方には、バルコニー屋根部１９が設けられている。
【００３３】
第１建物部１５と第２建物部１６との間において中間建物部１７の下方には車両Ｃを駐車可能なインナガレージ２５が設けられている。インナガレージ２５は、各建物部１５，１６の間において住宅奥側に配置され、１台分の車両Ｃを駐車可能な駐車スペースを有している。
【００３４】
第１建物部１５と第２建物部１６との間においてインナガレージ２５の住宅正面側には共用エントランス空間２６が設けられている。共用エントランス空間２６は、住宅正面側にて開口されており、インナガレージ２５よりも幅広に形成されている。共用エントランス空間２６には、各建物部１５，１６の玄関口２１がそれぞれ面して配置されている。
【００３５】
続いて、二世帯住宅１０の二階部分１２の間取りについて図２を参照しながら説明する。図２は、二階部分１２の間取りを示す平面図である。
【００３６】
図２に示すように、二階部分１２において、第１建物部１５には、子世帯の居住空間として、ホール３１、リビング３２、ダイニング３３、キッチン３４等が設けられている。ホール３１は、一階部分１１へ延びる階段３７に通じているとともに、三階部分１３へ延びる階段３８に通じている。リビング３２、ダイニング３３及びキッチン３４は、互いに連続した連続空間となっており、その連続空間がＬＤＫ空間３５となっている。ＬＤＫ空間３５はホール３１に通じている。
【００３７】
一方、二階部分１２において、第２建物部１６には、親世帯の居住空間として、ホール４１、寝室４２、収納室４３、浴室４４、サニタリ４５等が設けられている。ホール４１は、一階部分１１へ延びる階段４７に通じており、さらに、寝室４２及びサニタリ４５に通じている。
【００３８】
ホール４１と寝室４２との間には、それら両空間４１，４２の間の出入りを行うための出入口５１が設けられている。出入口５１には、引き戸からなるドア５２が設けられている。ドア５２には、ホール４１と寝室４２とを連通する通気部５３が設けられ、その通気部５３は、例えばドア５２に形成されたガラリからなる。
【００３９】
ホール４１とサニタリ４５との間には、それら両空間４１，４５の間の出入りを行うための出入口５５が設けられている。出入口５５には、開き戸からなるドア５６が設けられている。ドア５６には、ホール４１とサニタリ４５とを連通する通気部５７が設けられ、その通気部５７は、例えばドア５６下に形成されたアンダーカットからなる。
【００４０】
二階部分１２において、中間建物部１７には、上述した共用バルコニー１８の他に、共用リビング６０が設けられている。共用リビング６０は、子世帯と親世帯とが共用する共用空間に相当する。これにより、本二世帯住宅１０では、子世帯と親世帯とが共用リビング６０にて互いに交流を図ることが可能となっている。また、共用リビング６０には、第１建物部１５及び第２建物部１６からそれぞれ出入りが可能となっている。
【００４１】
中間建物部１７では、共用バルコニー１８と共用リビング６０とが住宅奥行き方向に並んで配置され、共用バルコニー１８が住宅正面側、共用リビング６０が住宅奥側に位置している。共用バルコニー１８と共用リビング６０との間には、それら両空間１８，６０の間の出入りを行うための出入口６１が設けられている。出入口６１は掃き出し窓として形成され、その出入口６１にはガラス戸６２が設けられている。なお、共用バルコニー１８が半屋外空間に相当する。また、共用リビング６０を挟んで共用バルコニー１８とは反対側は屋外空間となっている。この場合、共用リビング６０は、住宅奥側で屋外空間と隣接している。
【００４２】
続いて、共用リビング６０周辺の構成について図２に加え図３を用いながら説明する。なお、図３は、共用リビング６０及びその周辺の構成を示す縦断面図であり、図２のＡ−Ａ線断面図に相当する。
【００４３】
図２及び図３に示すように、共用リビング６０は、平面視にて住宅奥行き方向に長い長方形状をなしている。したがって、共用リビング６０は、住宅奥行き方向が長辺方向、住宅幅方向が短辺方向とされた空間となっている。この場合、共用リビング６０の長辺方向が「第２方向」に相当し、共用リビング６０の短辺方向が「第１方向」に相当する。
【００４４】
共用リビング６０には、その床部として、互いに床高さが異なる上床部６５及び下床部６６が設けられている。上床部６５と下床部６６とは、共用リビング６０の長辺方向（住宅奥行き方向）に並んで配置され、上床部６５が住宅正面側（共用バルコニー１８側）、下床部６６が住宅奥側（共用バルコニー１８とは反対側）に位置している。また、上床部６５と下床部６６とはいずれも共用リビング６０の短辺方向全域に亘って設けられている。
【００４５】
上床部６５は、その床面高さが二階部分１２の床面高さと同じとされている。共用リビング６０において、上床部６５の上方空間は二階床空間６０ａとなっている。二階床空間６０ａの天井部では、その天井面が二階部分１２の（通常高さの）天井面よりも低い位置に設定されている。詳しくは、二階床空間６０ａの天井部には、後述する下がり天井１０１が設けられ（図５参照）、その下がり天井１０１により天井面が二階部分１２の天井面よりも低い位置に設定されている。なお、二階床空間６０ａが第２空間部に相当する。
【００４６】
下床部６６は、その床面高さが上床部６５の床面高さよりも低くされている。すなわち、下床部６６は、その床面高さが二階部分１２の床面高さよりも低くされたスキップ床部となっている。共用リビング６０において、下床部６６の上方空間はスキップ床空間６０ｂとなっている。スキップ床空間６０ｂの天井部では、その天井面が二階部分１２の天井面と同じ高さ位置に設定されている。つまり、スキップ床空間６０ｂの天井部には、二階床空間６０ａの天井部とは異なり、下がり天井１０１が設けられておらず（図５参照）、それにより天井面が二階部分１２の（通常高さの）天井面と同じ高さとなっている。
【００４７】
このように、スキップ床空間６０ｂでは、床面が二階部分１２の床面よりも低い位置に設定され、かつ、天井面が二階部分１２の天井面と同じ高さ位置に設定されていることから、床面から天井面までの上下寸法（天井高さ）が二階部分１２における床面から天井面までの上下寸法（天井高さ）よりも大きくなっている。なお、スキップ床空間６０ｂが第１空間部に相当する。
【００４８】
共用リビング６０では、上記のように、上床部６５と下床部６６とで床高さが相違することから、これら各床部６５，６６の間には両床部６５，６６をつなぐ段差床部６７が設けられている。段差床部６７は、下床部６６側から上床部６５側に向かうにつれて段々に床高さが高くなる階段状に形成されている。段差床部６７は、各床部６５，６６と同様、共用リビング６０において短辺方向全域に亘って設けられており、それら各床部６５，６６とともに長辺方向に並んで配置されている。
【００４９】
上記のように構成された共用リビング６０には、その壁際に机天板６８と複数の椅子６９とが設けられている。これにより、これら机天板６８及び椅子６９を利用して親世帯と子世帯との交流を図ることが可能となっている。また、二階床空間６０ａの天井部が下がり天井となっていることで、二階床空間６０ａ及びスキップ床空間６０ｂの各天井部間には段差が形成されており、その段差を利用してプロジェクタ（映写装置、図示略）を設置することも可能である。この場合、スキップ床空間６０ｂの奥側壁面７９をスクリーンとしたり、その奥側壁面７９にスクリーン装置（図示略）を設置したりすることで、共用リビング６０をシアタールームとして利用することもできる。また、この場合、段差床部６７を視聴席として利用することも可能である。
【００５０】
ちなみに、共用リビング６０の床部の一部が下床部６６とされていることで、共用リビング６０の下方に設けられたインナガレージ２５の天井部６４は下がり天井となっている。そのため、インナガレージ２５の天井面は第１建物部１５及び第２建物部１６の一階部分１１の天井面よりも低い位置に設定されている。
【００５１】
共用リビング６０は、第１建物部１５のホール３１と隣接している。共用リビング６０とホール３１との間には出入口７１が設けられ、この出入口７１を通じてホール３１と共用リビング６０との間の出入りが可能となっている。出入口７１には、引き戸からなるドア７２が設けられている。ドア７２は、例えばスリットドアからなる。ドア７２には、ホール３１と共用リビング６０とを連通する通気部７３が設けられ、その通気部７３は、例えばドア７２のスリット部分により形成されている。
【００５２】
共用リビング６０は、第２建物部１６における階段４７上方の階段上空間７４と隣接している。階段上空間７４は、階段４７の設置された階段室のうち当該階段４７よりも上方の空間となっている。階段上空間７４と共用リビング６０とは仕切壁７５により仕切られており、その仕切壁７５の一部には階段上空間７４と共用リビング６０とを通気可能に連通する通気部７６が設けられている。この通気部７６は、例えば仕切壁７５に形成された開口部に縦格子が配されることにより形成されている。
【００５３】
階段４７は、その途中に踊り場４７ａを有する廻り階段からなる。階段４７の踊り場４７ａは、その高さが共用リビング６０の下床部６６の床高さと同じとされており、その下床部６６と隣接して配置されている。仕切壁７５には、階段上空間７４（詳しくは踊り場４７ａの上方空間）と共用リビング６０（詳しくはスキップ床空間６０ｂ）との間の出入りを行うための出入口７７が設けられている。出入口７７には、引き戸からなるドア７８が設けられている。このドア７８には、アンダーカット等の通気部が設けられておらず、ドア７８の閉鎖状態においては出入口７７を通じた階段上空間７４と共用リビング６０との間の通気が遮断される。
【００５４】
ところで、二世帯住宅１０には、二階部分１２に全館空調システムが設けられている。以下においては、その全館空調システムの構成について図４に基づいて説明する。図４は、二階部分１２の全館空調システムの構成を示す平面図である。
【００５５】
図４に示すように、二階部分１２の全館空調システムは、第１空調システム８０と第２空調システム９０とを備えている。第１空調システム８０は、第１建物部１５に設けられたＬＤＫ空間３５と、中間建物部１７に設けられた共用リビング６０とを空調対象として空調（冷暖房）を行うものである。一方、第２空調システム９０は、第２建物部１６に設けられた寝室４２、サニタリ４５及び階段上空間７４と、中間建物部１７に設けられた共用リビング６０とを空調対象として空調（冷暖房）を行うものである。以下においては、これら第１空調システム８０及び第２空調システム９０の構成について順に説明する。なおここでは、ＬＤＫ空間３５が第１居住空間に相当し、寝室４２、サニタリ４５及び階段上空間７４が第２居住空間に相当する。
【００５６】
まず、第１空調システム８０の構成について説明する。
【００５７】
第１空調システム８０は、空調空気（暖気及び冷気）を生成する空調装置８１と、空調装置８１に接続された空調ダクト８２と、空調ダクト８２に接続された吹出チャンバ８３とを備える。空調装置８１は、第１建物部１５に設けられた機械室８５に設置されている。機械室８５は、ＬＤＫ空間３５に隣接して設けられており、機械室８５とＬＤＫ空間３５との間には、空調装置８１をメンテナンスする際に用いられるメンテナンス用の開口部８６が設けられている（図２参照）。この開口部８６には開閉扉８７が設けられ、その開閉扉８７には機械室８５とＬＤＫ空間３５とを連通する通気部８８が設けられている。通気部８８は、開閉扉８７のアンダーカットやガラリ等により構成されている。
【００５８】
空調装置８１は冷房機能及び暖房機能を有する室内機として構成されている。空調装置８１は、機械室８５内の空気を取り込む取込部（図示略）を有しており、その取込部より取り込んだ空気を温度調整することで空調空気（冷房空気又は暖房空気）を生成する。そして、空調装置８１は、その生成した空調空気を空調ダクト８２へ供給する。
【００５９】
空調ダクト８２は、接続ダクト８９を介して空調装置８１と接続されている。接続ダクト８９は、機械室８５において空調装置８１から上方に延びており、その上端部が空調ダクト８２に接続されている。空調ダクト８２は、二階部分１２の天井裏に設置され、その天井裏においてＬＤＫ空間３５と共用リビング６０とに跨がるように延びている。
【００６０】
ここで、空調ダクト８２の設置構成について図５を参照しながら説明する。図５において、（ａ）は空調ダクト８２の設置構成を拡大して示す縦断面図であり、（ｂ）は（ａ）のＣ−Ｃ線断面図である。なお、図５（ａ）は、図３の領域Ｂ内を拡大して示した縦断面図となっている。
【００６１】
図５（ａ）及び（ｂ）に示すように、二階部分１２の天井部には空調ダクト８２の配設経路に沿って下がり天井１０１が設けられている。下がり天井１０１は石膏ボードからなる天井面材であり、二階部分１２において通常高さに配設された天井１０２よりも低い位置に配置されている。なお、天井１０２も、下がり天井１０１と同様、石膏ボードからなる天井面材である。下がり天井１０１の上方には天井裏空間１０３が形成されている。この天井裏空間１０３に空調ダクト８２が配設されている。なお、図４では便宜上、下がり天井１０１を含む天井部の図示を省略している。
【００６２】
空調ダクト８２は、その長手方向（換言するとダクト配設経路）に沿って分割された複数のダクト部８２ａを有している。空調ダクト８２は、それら各ダクト部８２ａが互いに連結されることで構成されている。各ダクト部８２ａは、いずれも同じ大きさを有する直方体状に形成され、その内部に空調空気が流れる内部通路を有する。これら各ダクト部８２ａの内部通路が互いに連通されることで、空調ダクト８２のダクト内通路が構成されている。また、各ダクト部８２ａは、例えば断熱性能に優れたポリスチレンフォーム等の発泡スチロールにより形成され、その平面視形状が正方形状となっている。
【００６３】
なお、空調ダクト８２は、必ずしも分割された複数のダクト部８２ａを有して構成する必要はなく、長尺状をなす一のダクト部材により構成してもよい。
【００６４】
空調ダクト８２（詳しくはダクト部８２ａ）の側面部には、吹出チャンバ８３が接続されている。吹出チャンバ８３は、空調ダクト８２において複数箇所に設けられている。吹出チャンバ８３には、ＬＤＫ空間３５に対して設けられた複数（具体的には４つ）の吹出チャンバ８３ａ〜８３ｄと、共用リビング６０に対して設けられた一の吹出チャンバ８３ｅとがある。なお、吹出チャンバ８３ｅが第１吹出部に相当する。
【００６５】
各吹出チャンバ８３ａ〜８３ｅは、下がり天井１０１と天井１０２とを上下に繋ぐ段差壁部１０４に設けられている（図５参照）。段差壁部１０４には厚み方向に貫通する開口部１０５が形成され、その開口部１０５に吹出チャンバ８３が挿通された状態で設けられている。また、各吹出チャンバ８３は、空調空気を吹き出す吹出口８４を有している。吹出チャンバ８３は、その吹出口８４を横向きに開口させた状態で段差壁部１０４に設けられている。
【００６６】
空調ダクト８２を流れる空調空気は各吹出チャンバ８３ａ〜８３ｅの吹出口８４より空調対象であるＬＤＫ空間３５及び共用リビング６０にそれぞれ吹き出される。これにより、その吹き出された空調空気により、ＬＤＫ空間３５及び共用リビング６０の空調（冷暖房）が行われる。
【００６７】
また、共用リビング６０に設けられた吹出チャンバ８３ｅには吹出口８４が上下に複数（具体的には２つ）設けられており（図５参照）、それら各吹出口８４よりそれぞれ空調空気が吹き出される。一方、図示は省略するが、その他の吹出チャンバ８３ａ〜８３ｄには吹出口８４が１つだけ設けられており、その一の吹出口８４より空調空気が吹き出される。但し、これらの吹出チャンバ８３ａ〜８３ｄにも吹出口８４を複数設けるようにしてもよい。
【００６８】
なお、各吹出チャンバ８３ａ〜８３ｄの吹出口８４がそれぞれ第１居住吹出口に相当し、吹出チャンバ８３ｅの各吹出口８４がそれぞれ第１共用吹出口に相当する。
【００６９】
ここで本空調システムでは、第１空調システム８０として循環式の空調システムが採用されており（後述する第２空調システム９０も同様）、ＬＤＫ空間３５及び共用リビング６０へ供給された空調空気が機械室８５に還気として還流する（戻る）ようになっている。以下、かかる空調空気の流れについて図６に基づいて説明する。なお、図６は、二階部分１２における空気の流れを示す平面図である。また、図６では便宜上、空調ダクト８２（及び後述する空調ダクト９２）の図示を省略している。
【００７０】
図６に示すように、吹出チャンバ８３ｅより共用リビング６０に供給された空調空気は、通気部７３を通じてホール３１に流れ込み、その後ホール３１からＬＤＫ空間３５へと流れる。ＬＤＫ空間３５へ流れた空気は、各吹出チャンバ８３ａ〜８３ｄよりＬＤＫ空間３５に供給された空調空気とともに、通気部８８を通じて機械室８５に流れ込む。そして、空調装置８１は、その機械室８５へ流れ込んだ空気を取り込み空調空気を生成する。このように、第１空調システム８０は、住宅内の空気を循環させながら空調を行うシステムとなっている。
【００７１】
続いて、第２空調システム９０の構成について説明する。
【００７２】
図４に示すように、第２空調システム９０は、第１空調システム８０と同様、空調空気を空調空気（暖気及び冷気）を生成する空調装置９１と、空調装置９１に接続された空調ダクト９２と、空調ダクト９２に接続された吹出チャンバ９３とを備える。空調装置９１は、第２建物部１６に設けられた機械室９５に設置されている。機械室９５は、サニタリ４５に隣接して設けられており、機械室９５とサニタリ４５との間には、空調装置９１をメンテナンスする際に用いられるメンテナンス用の開口部９６が設けられている（図２参照）。この開口部９６には開閉扉９７が設けられ、その開閉扉９７には機械室９５とサニタリ４５とを連通する通気部９８が設けられている。通気部９８は、開閉扉９７のアンダーカットやガラリ等により構成されている。
【００７３】
空調装置９１は冷房機能及び暖房機能を有する室内機として構成されている。空調装置９１は、機械室９５内の空気を取り込む取込部（図示略）を有しており、その取込部より取り込んだ空気を温度調整することで空調空気（冷房空気又は暖房空気）を生成する。そして、空調装置９１は、その生成した空調空気を空調ダクト９２へ供給する。
【００７４】
空調ダクト９２は、接続ダクト９９を介して空調装置９１と接続されている。接続ダクト９９は、機械室９５において空調装置９１から上方に延びており、その上端部が空調ダクト９２に接続されている。空調ダクト９２は、二階部分１２の天井裏に設置され、その天井裏においてサニタリ４５と寝室４２と階段上空間７４と共用リビング６０とに跨がるよう延びている。
【００７５】
空調ダクト９２は、第１空調システム８０の空調ダクト８２と同様、二階部分１２の天井部に設けられた下がり天井１０１の上方に配設されている。すなわち、二階部分１２の天井部には、空調ダクト９２の配設経路に沿って下がり天井１０１が設けられ、その下がり天井１０１上方の天井裏空間１０３に空調ダクト９２が配設されている。
【００７６】
空調ダクト９２は、空調ダクト８２と同様、直方体状に形成された複数のダクト部９２ａを備え、それら各ダクト部９２ａが互いに連結されることで構成されている。また、ダクト部９２ａは、例えば断熱性能に優れたポリスチレンフォーム等の発泡スチロールにより形成され、その平面視形状が正方形状となっている。なお、空調ダクト９２は、必ずしも分割された複数のダクト部９２ａを有して構成する必要はなく、長尺状をなす一のダクト部材により構成してもよい。
【００７７】
空調ダクト９２（詳しくはダクト部９２ａ）の側面部には、吹出チャンバ９３が接続されている。吹出チャンバ９３は、空調ダクト９２において複数箇所に設けられている。吹出チャンバ９３には、サニタリ４５に対して設けられた吹出チャンバ９３ａと、寝室４２に対して設けられた吹出チャンバ９３ｂと、階段上空間７４に対して設けられた吹出チャンバ９３ｃと、共用リビング６０に対して設けられた吹出チャンバ９３ｄとがある。これらの吹出チャンバ９３ａ〜９３ｄは各空間４２，４５，６０，７４に対してそれぞれ１つずつ設けられている。なお、吹出チャンバ９３ｄが第２吹出部に相当する。
【００７８】
吹出チャンバ９３は、第１空調システム８０の吹出チャンバ８３と同様、下がり天井１０１と通常高さの天井１０２との間の段差壁部１０４に設けられている（図５（ｂ）参照）。吹出チャンバ９３は、段差壁部１０４に形成された開口部１０６に挿通された状態で設けられている。吹出チャンバ９３は、空調空気を吹き出す吹出口９４を有しており、その吹出口９４を横向きに開口させた状態で段差壁部１０４に設けられている。
【００７９】
空調ダクト９２を流れる空調空気は各吹出チャンバ９３ａ〜９３ｄの吹出口９４より空調対象であるサニタリ４５、寝室４２、階段上空間７４及び共用リビング６０にそれぞれ吹き出される。これにより、その吹き出された空調空気により、これら各空間４２，４５，６０，７４の空調（冷暖房）が行われる。
【００８０】
また、共用リビング６０に設けられた吹出チャンバ９３ｄには、上記吹出チャンバ８３ｅと同様、吹出口９４が上下に複数（具体的には２つ）設けられており、それら各吹出口９４よりそれぞれ空調空気が吹き出される（図５（ｂ）参照）。一方、図示は省略するが、その他の吹出チャンバ９３ａ〜９３ｃには吹出口９４が１つだけ設けられており、その一の吹出口９４より空調空気が吹き出される。但し、これらの吹出チャンバ９３ａ〜９３ｃにも吹出口９４を複数設けるようにしてもよく、例えば気積が比較的大きい寝室４２の吹出チャンバ９３ｂに吹出口９４を複数設けることが考えられる。
【００８１】
なお、各吹出チャンバ９３ａ〜９３ｃの吹出口９４がそれぞれ第２居住吹出口に相当し、吹出チャンバ９３ｄの各吹出口９４がそれぞれ第２共用吹出口に相当する。
【００８２】
続いて、各吹出チャンバ９３ａ〜９３ｄより空調空気が供給された後の空気の流れについて図６を参照しながら説明する。
【００８３】
図６に示すように、吹出チャンバ９３ｄより共用リビング６０に供給された空調空気は、通気部７６を通じて階段上空間７４に流れ込み、その後吹出チャンバ９３ｃより階段上空間７４に供給された空調空気とともにホール４１に流れる。また、吹出チャンバ９３ｂより寝室４２に供給された空調空気は通気部５３を通じてホール４１に流れ込み、上記ホール４１に流れた空調空気とともに通気部５７を通じてサニタリ４５へ流れ込む。そして、サニタリ４５に流れ込んだ空調空気は、吹出チャンバ９３ａよりサニタリ４５に供給された空調空気とともに通気部９８を通じて機械室９５に流れ込む。そして、空調装置９１は、その機械室９５へ流れ込んだ空気を取り込み空調空気を生成する。このように、第２空調システム９０は、上記第１空調システム８０と同様、住宅内の空気を循環させながら空調を行う循環式の空調システムとなっている。
【００８４】
次に、共用リビング６０の天井部における空調ダクト８２，９２及び吹出チャンバ８３，９３の設置構成について詳しく説明する。
【００８５】
図４に示すように、第１空調ダクト８２は、下がり天井１０１上の天井裏空間１０３において、第１建物部１５から共用リビング６０に向けて延びており、その末端部（下流側端部）が共用リビング６０の上方に位置している。詳しくは、第１空調ダクト８２を構成する各ダクト部８２ａのうち末端部に配置されたダクト部８２ａが共用リビング６０の上方に位置している。なお、以下では、この末端部に配置されたダクト部８２ａを他のダクト部８２ａと区別するためダクト部１０８という。この場合、ダクト部１０８が第１末端部に相当する。
【００８６】
一方、第２空調ダクト９２は、下がり天井１０１上の天井裏空間１０３において、第２建物部１６から共用リビング６０に向けて延びており、その末端部（下流側端部）が共用リビング６０の上方に位置している。詳しくは、第２空調ダクト９２を構成する各ダクト部９２ａのうち末端部に配置されたダクト部９２ａが共用リビング６０の上方に位置している。なお、以下では、この末端部に配置されたダクト部９２ａを他のダクト部９２ａと区別するためダクト部１０９という。この場合、ダクト部１０９が第２末端部に相当する。
【００８７】
ダクト部１０８とダクト部１０９とはいずれも共用リビング６０の二階床空間６０ａの上方に配置されている。これらのダクト部１０８、１０９はいずれも共用リビング６０の長辺方向において同じ位置に配置され、詳しくは共用リビング６０における共用バルコニー１８との境界部付近に配置されている。また、各ダクト部１０８、１０９は、共用リビング６０の短辺方向においては互いに離間して配置され、それにより、それら各ダクト部１０８，１０９の間には換気設備等の機器類を設置可能な設置スペースが形成されている。そして、ダクト部１０８に対して吹出チャンバ８３ｅが接続され、ダクト部１０９に対して吹出チャンバ９３ｄが接続されている。
【００８８】
図５に示すように、これら各ダクト部１０８，１０９の下方には、上述した下がり天井１０１が設けられている。この下がり天井１０１は、各ダクト部１０８，１０９に跨がって設けられ、共用リビング６０の短辺方向全域に亘って配設されている。また、共用リビング６０の天井部においては、この下がり天井１０１と天井１０２とを繋ぐ段差壁部１０４も共用リビング６０の短辺方向全域に亘って延びている。この段差壁部１０４はその壁面をスキップ床空間６０ｂの側に向けて配設されており、天井裏空間１０３と共用リビング６０とを互いに区画している。
【００８９】
段差壁部１０４には、上記各吹出チャンバ８３ｅ，９３ｄがそれぞれ設けられている。これらの吹出チャンバ８３ｅ，９３ｄはいずれも吹出口８４，９４をスキップ床空間６０ｂ側に向けて配置されている。したがって、これらの吹出チャンバ８３ｅ，９３ｄからは空調空気が（共用リビング６０の長辺方向における）スキップ床空間６０ｂ側に向けて吹き出される。また、これらの吹出チャンバ８３ｅ，９３ｄはいずれも同じ高さ位置に配置され、より詳しくは共用リビング６０の短辺方向の中央線を基準として互いに対象となる位置に配置されている。
【００９０】
以上、詳述した本実施形態の構成によれば、以下の優れた効果が得られる。
【００９１】
第１空調システム８０の空調装置８１を第１建物部１５に設け、第２空調システム９０の空調装置９１を第２建物部１６に設けた。かかる構成では、これら各空調装置８１，９１のいずれか一方だけが運転している片側運転時において、その運転中の空調装置８１（９１）により共用リビング６０に供給される空調空気が、同リビング６０から当該運転中の空調装置８１（９１）が設けられている建物部１５（１６）の方へ流れることになる。この場合、かかる空気の流れについては、上記従来技術（特許文献１の技術）の構成において生じる共用空間から空調装置へ向かう空気の流れと比べ、弱い流れとすることができる。このため、かかる空気の流れによって、空調装置が運転していない他方の建物部１６（１５）内の空気を共用リビング６０に引き込んでしまうことを抑制することができ、その結果、当該空気の引き込みに伴う空調効率の低下を抑制することができる。
【００９２】
共用リビング６０の一部を下床部６６を有するスキップ床空間６０ｂとしたため、共用リビング６０を開放感あふれる空間とすることができる。そのため、各世帯のコミュニケーションを快適に図ることが可能となる。また、共用リビング６０に下床部６６が設けられた構成では、空調装置８１，９１から居住空間及び共用リビング６０に空調空気を空調ダクト８２，９２により搬送するにあたり、空調ダクト８２，９２を床下に配設すると、空調ダクト８２，９２の高さ位置を途中で変える必要が生じる等、ダクト８２，９２の配設態様が複雑になるおそれがある。この点、上記の実施形態では、空調ダクト８２，９２を床下ではなく、天井裏に配設したため、かかる不都合が生じるのを回避しつつ空調ダクト８２，９２を配設することができる。
【００９３】
第１空調システム８０及び第２空調システム９０のいずれにおいても、共用リビング６０に設けられた吹出チャンバ８３ｅ，９３ｄには空調空気の吹出口８４，９４を複数（具体的には２つ）設けた。この場合、各空調システム８０，９０（各空調装置８１，９１）のいずれか一方だけが運転している片側運転時においても、複数の吹出口８４，９４から空調空気を共用リビング６０に吹き出すことができる。これにより、空調システム８０，９０の片側運転時においても、スキップ床空間６０ｂを有する共用リビング６０を好適に空調することができる。
【００９４】
下がり天井１０１上方の天井裏空間１０３に各空調ダクト８２，９２を配設し、それら各空調ダクト８２，９２の末端部を構成するダクト部１０８，１０９をそれぞれ共用リビング６０の上方に位置させた。そして、各ダクト部１０８，１０９の側面部に吹出チャンバ８３ｅ，９３ｄを接続し、それら各吹出チャンバ８３ｅ，９３ｄより空調空気を共用リビング６０の長辺方向（第２方向に相当）に吹き出すようにした。この場合、平面視長方形状の共用リビング６０を好適に空調することが可能となる。
【００９５】
各空調ダクト８２，９２のダクト部１０８，１０９を二階床空間６０ａの上方に配設し、それらダクト部１０８，１０９に接続される各吹出チャンバ８３ｅ，９３ｄより空調空気をスキップ床空間６０ｂに向けて吹き出すようにした。この場合、気積の大きいスキップ床空間６０ｂを好適に空調することができる。
【００９６】
また、各空調ダクト８２，９２のダクト部１０８，１０９を二階床空間６０ａの上方に配設したため、共用リビング６０の天井部においては二階床空間６０ａの天井部に対して下がり天井１０１を配置すればよく、スキップ床空間６０ｂの天井部には下がり天井１０１を配置しなくても済む。これにより、下がり天井１０１を用いて空調ダクト８２，９２を配設する構成にあって、下がり天井１０１により共用リビング６０（詳しくはスキップ床空間６０ｂ）の開放感が低下してしまうのを抑制することができる。
【００９７】
共用リビング６０が住宅奥行き方向（第２方向に相当）の両側でそれぞれ屋外空間及び共用バルコニー１８（半屋外空間に相当）と隣接している上記実施形態の構成では、住宅奥行き方向における共用リビング６０を挟んだ両側に、空調ダクト８２，９２を配設できる天井部が存在しない。そのため、それらの側から共用リビング６０に空調空気を吹き出すことが、詳しくはそれらの側から空調空気を住宅奥行き方向（つまりは共用リビング６０の長辺方向）に吹き出すことが実際上不可能となる。その点、上記の実施形態では、かかる構成に、共用リビング６０の上方に各ダクト部１０８，１０９を位置させ、それらダクト部１０８，１０９に接続した吹出チャンバ８３ｅ，９３ｄより空調空気を共用リビング６０の長辺方向に吹き出す構成を適用しているため、このような構成にあっても、共用リビング６０に空調空気を長辺方向に吹き出すことが可能となる。
【００９８】
なお、共用リビング６０が住宅奥行き方向の両側でそれぞれ屋外空間と隣接している構成や、住宅奥行き方向の両側でそれぞれ半屋外空間と隣接している構成においても、住宅奥行き方向における共用リビング６０を挟んだ両側に、空調ダクト８２，９２を配設できる天井部が存在しないため、それらの側から共用リビング６０に空調空気を長辺方向に吹き出すことが不可能となる。そのため、これらの構成に対しても、上述した構成を適用することで、共用リビング６０に空調空気を長辺方向に吹き出し可能としてもよい。
【００９９】
各空調ダクト８２，９２のダクト部１０８，１０９を共用リビング６０の長辺方向において同位置に配置するとともに、それらダクト部１０８，１０９に接続される各吹出チャンバ８３ｅ，９３ｄを共用リビング６０の短辺方向の中心線に対して互いに対称となる位置に配置した。この場合、各空調装置８１，９１のいずれを片側運転させる場合にも、共用リビング６０を同じように空調することが可能となる。
【０１００】
本発明は上記実施形態に限らず、例えば次のように実施されてもよい。
【０１０１】
（１）上記実施形態では、空調ダクト８２のダクト部１０８（第１末端部）を共用リビング６０の上方に位置させ、このダクト部１０８に吹出チャンバ８３ｅを接続したが、これを変更してもよい。例えば、空調ダクト８２においてダクト部１０８を不具備とし、そのダクト部１０８の手前のダクト部８２ａに吹出チャンバ８３ｅを接続するようにしてもよい。その場合、このダクト部８２ａは第１建物部１５に配置されているため、それに接続される吹出チャンバ８３ｅは例えば空調空気を共用リビング６０の短辺方向に吹き出すよう配置することが考えられる。
【０１０２】
また、これと同様に、空調ダクト９２においてもダクト部１０９を不具備として、そのダクト部１０９の手前のダクト部９２ａに吹出チャンバ９３ｄを接続するようにしてもよい。
【０１０３】
（２）上記実施形態では、第１空調システム８０において、共用リビング６０に設けた一の吹出チャンバ８３ｅに複数の吹出口８４を設けたが、これを変更して、共用リビング６０に一の吹出口８４を有する吹出チャンバ８３を複数設けるようにしてもよい。その場合にも、共用リビング６０に空調空気を吹き出す吹出口８４を複数設けることができるため、空調装置８１の片側運転時においても共用リビング６０を好適に空調することができる。また、これと同様に、第２空調システム９０においても、共用リビング６０に一の吹出口９４を有する吹出チャンバ９３を複数設けるようにしてもよい。
【０１０４】
（３）上記実施形態では、二階部分１２の天井裏空間１０３に空調ダクト８２，９２を配設したが、これを変更して、二階部分１２の床下空間（換言すると、一階部分１１と二階部分１２との間の階間空間）に空調ダクトを配設してもよい。その場合、吹出チャンバは床側に設けられることになり、その床側の吹出チャンバより空調空気が吹き出される。但し、上記実施形態の構成では、空調ダクト８２，９２による空調空気の供給先である共用リビング６０とそれ以外の空間との間で床高さが互いに相違しているため、床下に空調ダクトを配設しようとすると、空調ダクトの高さを途中で変える必要が生じる等、ダクトの配設態様が複雑になるおそれがある。そのため、この点を鑑みると、空調ダクトを天井裏空間１０３に配設するのが望ましいといえる。
【０１０５】
（４）上記実施形態では、空調装置８１の機械室８５がＬＤＫ空間３５に隣接して設けられていたが、例えばホール３１に隣接して設けられる等、他の位置に設けられていてもよい。要するに、機械室８５は、第１建物部１５の二階部分１２に設けられていればよい。
【０１０６】
また、上記実施形態では、空調装置９１の機械室９５がサニタリ４５に隣接して設けられていたが、例えばホール４１や寝室４２に隣接して設けられる等、他の位置に設けられていてもよい。要するに、機械室９５は、第２建物部１６の二階部分１２に設けられていればよい。
【０１０７】
（５）上記実施形態では、共用リビング６０の一部をスキップ床空間６０ｂとし、残りの一部を二階床空間６０ａとしたが、これを変更して、共用リビング６０全体をスキップ床空間としてもよい。その場合、共用リビング６０をより一層開放感あふれる空間とすることができる。また、共用リビング６０の全部を二階床空間６０ａとしてもよい。その場合、共用リビング６０に設けられた吹出チャンバ８３ｅ，９３ｄの吹出口８４，９４の数を１つにしてもよい。
【０１０８】
また、空調対象となる共用空間は必ずしも共用リビング６０である必要はなく、共用のダイニングや玄関ホール等、他の共用空間であってもよい。
【０１０９】
（６）上記実施形態では、第１建物部１５と第２建物部１６との間に中間建物部１７（共用リビング６０）を有する二世帯住宅１０に本発明の空調システムを適用したが、それ以外の構成からなる二世帯住宅１０に本発明を適用してもよい。例えば、第１建物部１５及び第２建物部１６の住宅奥側でこれら各建物部１５，１６に跨がって共用リビング６０が設けられる構成に本発明を適用することが考えられる。要するに、第１建物部１５及び第２建物部１６にそれぞれ隣接して共用リビング６０が設けられる構成であれば、本発明の空調システムを適用することが可能である。
【符号の説明】
【０１１０】
１０…二世帯住宅、１５…第１居住部としての第１建物部、１６…第２居住部としての第２建物部、１７…中間建物部、１８…半屋外空間としての共用バルコニー、３５…第１居住空間としてのＬＤＫ空間、４２…第２居住空間としての寝室、４５…第２居住空間としてのサニタリ、７４…第２居住空間としての階段上空間、６０…共用空間としての共用リビング、６０ａ…第２空間部としての二階床空間、６０ｂ…第１空間部としてのスキップ床空間、８１…第１空調装置としての空調装置、８２…第１空調ダクトとしての空調ダクト、８３…吹出チャンバ、８４…吹出口、８３ｅ…第１吹出部としての吹出チャンバ、９１…第２空調装置としての空調装置、９２…第２空調ダクトとしての空調ダクト、９３…吹出チャンバ、９３ｄ…第２吹出部としての吹出チャンバ、９４…吹出口、１０１…下がり天井、１０２…天井、１０３…天井裏空間、１０８…第１末端部としてのダクト部、１０９…第２末端部としてのダクト部。
【図１】
0006529922.tif 000002
【図２】
0006529922.tif 000003
【図３】
0006529922.tif 000004
【図４】
0006529922.tif 000005
【図５】
0006529922.tif 000006
【図６】
0006529922.tif 000007